(57)【特許請求の範囲】
【請求項１】
所定情報をＤＶＤ−ＶＲ規格による映像情報として記録媒体に記録する際にＤＶＤ−Ｖｉｄｅｏ規格へ変換するための変換情報をこれに挿入して記録する情報記録装置であって、
所定情報をＤＶＤ−ＶＲ規格による第１映像情報へ変換する変換手段と、
前記変換手段により変換した第１映像情報に、第１映像情報をＤＶＤ−ＶＲ規格とは異なるＤＶＤ−Ｖｉｄｅｏ規格による第２映像情報へ変換する際に使用する変換情報であって、前記ＤＶＤ−ＶＲ規格の第１映像情報の２番目のリファレンスピクチャの終了アドレスと、３番目のリファレンスピクチャの終了アドレスと、ビデオ開始時間の直後に再生されるオーディオフレームを含むパケットのアドレスとの内の少なくとも一つを前記ＤＶＤ−ＶＲ規格による第１映像情報のＲＤＩ＿ＰＣＫのＭＮＦＩとして挿入する挿入手段と、
前記挿入手段により前記変換情報が挿入された前記第１映像情報を、情報記録媒体の記憶領域に記録する記録手段と、を具備することを特徴とする情報記録装置。
【請求項２】
所定情報をＤＶＤ−ＶＲ規格による映像情報として記録媒体に記録する際にＤＶＤ−Ｖｉｄｅｏ規格へ変換するための変換情報をこれに挿入して記録する情報記録装置であって、
所定情報をＤＶＤ−ＶＲ規格による第１映像情報へ変換する変換手段と、
前記変換手段により変換した第１映像情報に、第１映像情報をＤＶＤ−ＶＲ規格とは異なるＤＶＤ−Ｖｉｄｅｏ規格による第２映像情報へ変換する際に使用する変換情報であって、前記ＤＶＤ−ＶＲ規格の第１映像情報の２番目のリファレンスピクチャの終了アドレスと、３番目のリファレンスピクチャの終了アドレスと、ビデオ開始時間の直後に再生されるオーディオフレームを含むパケットのアドレスとの内の少なくとも一つを前記ＤＶＤ−ＶＲ規格による第１映像情報のＤＶＤ＿ＲＴＡＶフォルダ内のファイル以外のファイルとして挿入する挿入手段と、
前記挿入手段により前記変換情報が挿入された前記第１映像情報を、情報記録媒体の記憶領域に記録する記録手段と、を具備することを特徴とする情報記録装置。
【請求項３】
所定情報をＤＶＤ−ＶＲ規格による映像情報として記録媒体に記録する際にＤＶＤ−Ｖｉｄｅｏ規格へ変換するための変換情報をこれに挿入して記録する情報記録装置であって、
所定情報をＤＶＤ−ＶＲ規格による第１映像情報へ変換する変換手段と、
前記変換手段により変換した第１映像情報に、第１映像情報をＤＶＤ−ＶＲ規格とは異なるＤＶＤ−Ｖｉｄｅｏ規格による第２映像情報へ変換する際に使用する変換情報であって、前記ＤＶＤ−ＶＲ規格の第１映像情報の２番目のリファレンスピクチャの終了アドレスをＶＯＢＵ＿２ＮＤＲＥＦ＿ＥＡとして挿入するか、３番目のリファレンスピクチャの終了アドレスをＶＯＢＵ＿３ＲＤＲＥＦ＿ＥＡとして挿入する挿入手段と、
前記挿入手段により前記変換情報が挿入された前記第１映像情報を、情報記録媒体の記憶領域に記録する記録手段と、を具備することを特徴とする情報記録装置。
【請求項４】
所定情報をＤＶＤ−ＶＲ規格による映像情報として記録媒体に記録する際にＤＶＤ−Ｖｉｄｅｏ規格へ変換するための変換情報をこれに挿入して記録する情報記録装置であって、
所定情報をＤＶＤ−ＶＲ規格による第１映像情報へ変換する変換手段と、
前記変換手段により変換した第１映像情報に、第１映像情報をＤＶＤ−ＶＲ規格とは異なるＤＶＤ−Ｖｉｄｅｏ規格による第２映像情報へ変換する際に使用する変換情報であって、ビデオ開始時間の直後に再生されるオーディオフレームを含むパケットのアドレスを前記ＤＶＤ−ＶＲ規格による第１映像情報のＶＯＢＵ＿Ａ＿ＳＹＮＣＡとして挿入する挿入手段と、
前記挿入手段により前記変換情報が挿入された前記第１映像情報を、情報記録媒体の記憶領域に記録する記録手段と、を具備することを特徴とする情報記録装置。
【請求項５】
ＤＶＤ−ＶＲ規格による映像情報をこれに挿入された変換情報を参照してＤＶＤ−Ｖｉｄｅｏ規格による映像情報に変換処理する情報処理装置であって、
変換情報として前記ＤＶＤ−ＶＲ規格による第１映像情報にＲＤＩ＿ＰＣＫのＭＮＦＩとして挿入された、前記ＤＶＤ−ＶＲ規格の第１映像情報の２番目のリファレンスピクチャの終了アドレスと、３番目のリファレンスピクチャの終了アドレスと、ビデオ開始時間の直後に再生されるオーディオフレームを含むパケットのアドレスとの内の少なくとも一つを、ＤＶＤ−ＶＲ規格による第１映像情報から抽出する抽出手段と、
前記抽出手段が抽出した前記変換情報である前記ＤＶＤ−ＶＲ規格の第１映像情報の２番目のリファレンスピクチャの終了アドレスと、３番目のリファレンスピクチャの終了アドレスと、ビデオ開始時間の直後に再生されるオーディオフレームを含むパケットのアドレスとの内の少なくとも一つを参照して、前記第１映像情報を前記ＤＶＤ−ＶＲ規格とは異なるＤＶＤ−Ｖｉｄｅｏ規格による第２映像情報へ変換する変換手段と、
を具備することを特徴とする情報処理装置。
【請求項６】
ＤＶＤ−ＶＲ規格による映像情報をこれに挿入された変換情報を参照してＤＶＤ−Ｖｉｄｅｏ規格による映像情報に変換処理する情報処理装置であって、
変換情報として前記ＤＶＤ−ＶＲ規格による第１映像情報のＤＶＤ＿ＲＴＡＶフォルダ内のファイル以外のファイルとして挿入された、前記ＤＶＤ−ＶＲ規格の第１映像情報の２番目のリファレンスピクチャの終了アドレスと、３番目のリファレンスピクチャの終了アドレスと、ビデオ開始時間の直後に再生されるオーディオフレームを含むパケットのアドレスとの内の少なくとも一つを、ＤＶＤ−ＶＲ規格による第１映像情報から抽出する抽出手段と、
前記抽出手段が抽出した前記変換情報である前記ＤＶＤ−ＶＲ規格の第１映像情報の２番目のリファレンスピクチャの終了アドレスと、３番目のリファレンスピクチャの終了アドレスと、ビデオ開始時間の直後に再生されるオーディオフレームを含むパケットのアドレスとの内の少なくとも一つを参照して、前記第１映像情報を前記ＤＶＤ−ＶＲ規格とは異なるＤＶＤ−Ｖｉｄｅｏ規格による第２映像情報へ変換する変換手段と、
を具備することを特徴とする情報処理装置。
【請求項７】
ＤＶＤ−ＶＲ規格による映像情報をこれに挿入された変換情報を参照してＤＶＤ−Ｖｉｄｅｏ規格による映像情報に変換処理する情報処理装置であって、
変換情報として前記ＤＶＤ−ＶＲ規格による第１映像情報のＶＯＢＵ＿２ＮＤＲＥＦ＿ＥＡに挿入された２番目のリファレンスピクチャの終了アドレスと、前記ＤＶＤ−ＶＲ規格による第１映像情報のＶＯＢＵ＿３ＲＤＲＥＦ＿ＥＡに挿入された３番目のリファレンスピクチャの終了アドレスとの少なくとも一方を、ＤＶＤ−ＶＲ規格による第１映像情報から抽出する抽出手段と、
前記抽出手段が抽出した前記変換情報である２番目のリファレンスピクチャの終了アドレスと、３番目のリファレンスピクチャの終了アドレスとの内の少なくとも一つを参照して、前記第１映像情報を前記ＤＶＤ−ＶＲ規格とは異なるＤＶＤ−Ｖｉｄｅｏ規格による第２映像情報へ変換する変換手段とを具備することを特徴とする情報処理装置。
【請求項８】
ＤＶＤ−ＶＲ規格による映像情報をこれに挿入された変換情報を参照してＤＶＤ−Ｖｉｄｅｏ規格による映像情報に変換処理する情報処理装置であって、
変換情報として第１映像情報のＶＯＢＵ＿Ａ＿ＳＹＮＣＡとして挿入された、ビデオ開始時間の直後に再生されるオーディオフレームを含むパケットのアドレスをＤＶＤ−ＶＲ規格による第１映像情報から抽出する抽出手段と、
前記抽出手段が抽出した前記変換情報であるビデオ開始時間の直後に再生されるオーディオフレームを含むパケットのアドレスを参照して、前記第１映像情報を前記ＤＶＤ−ＶＲ規格とは異なるＤＶＤ−Ｖｉｄｅｏ規格による第２映像情報へ変換する変換手段と、
を具備することを特徴とする情報処理装置。
【発明の詳細な説明】
【０００１】
【発明の属する技術分野】
本発明は、情報記録装置及び情報処理装置に関し、フォーマット変換や編集処理に用いる処理情報を映像信号に挿入し用いる情報記録装置及び情報処理装置に関する。
【０００２】
【従来の技術】
最近、ＤＶＤ（Digital Versatile Disk）等の普及に伴い、ディスクに記録された映像の記録や編集、再生が広範にさまざまな規格で行われている。例えば、ＤＶＤ記録再生装置で記録される場合は、ＤＶＤ−ＶＲ（Video-Recording）規格（以下、ＶＲ規格と記す）で記録されることとなり、又、通常のＤＶＤ再生装置では、ＤＶＤ−Ｖ（Video）規格（以下、Ｖ規格と記す）で記録された映像信号がＤＶＤプレイヤ等で再生されている。
【０００３】
しかし、ＤＶＤ記録再生装置で、ＶＲ規格により記録された映像信号は、このままでは、通常のＤＶＤプレイヤでは再生することができない。従って、例えば個人がＶＲ規格で記録した結婚式の映像等を各家庭のＤＶＤプレイヤで再生したいとなると、Ｖ規格で記録された映像信号へ変換しなければならないが、この変換処理を詳細に示した従来技術は知られていない。
【０００４】
【発明が解決しようとする課題】
従来技術においては、ＶＲ規格に基づくデータストリームはＶ規格と互換性がなくＶ規格の再生機での再生が不可能であった。またＶＲ規格のデータをＶ規格に変換しようとすると、その情報を計算するのに多くの計算量を必要とするため、現実的な時間、例えば２時間前後の映像コンテンツを少なくとも数時間以内に変換処理をするということができないという問題がある。
【０００５】
この発明は、フォーマット変換される可能性がある映像ストリームを記録する際に、フォーマット変換時に必要な情報をあらかじめ記録しておくことで、変換時の計算量を少なくし現実的な時間内の変換を可能とする情報記録装置を提供することを目的とする。
【０００６】
【課題を解決するための手段】
本発明は課題を解決するべく、所定情報をＤＶＤ−ＶＲ規格による映像情報として記録媒体に記録する際にＤＶＤ−Ｖｉｄｅｏ規格へ変換するための変換情報をこれに挿入して記録する情報記録装置であって、所定情報をＤＶＤ−ＶＲ規格による第１映像情報へ変換する変換手段と、前記変換手段により変換した第１映像情報に、第１映像情報をＤＶＤ−ＶＲ規格とは異なるＤＶＤ−Ｖｉｄｅｏ規格による第２映像情報へ変換する際に使用する変換情報であって、前記ＤＶＤ−ＶＲ規格の第１映像情報の２番目のリファレンスピクチャの終了アドレスと、３番目のリファレンスピクチャの終了アドレスと、ビデオ開始時間の直後に再生されるオーディオフレームを含むパケットのアドレスとの内の少なくとも一つを前記ＤＶＤ−ＶＲ規格による第１映像情報のＲＤＩ＿ＰＣＫのＭＮＦＩとして挿入する挿入手段と、前記挿入手段により前記変換情報が挿入された前記第１映像情報を、情報記録媒体の記憶領域に記録する記録手段を具備することを特徴とする情報記録装置である。
【００１１】
【発明の実施の形態】
以下、図面を参照しながら本発明の実施形態について詳細に説明する。
【００１２】
＜光ディスク記録再生装置の構成例＞
図１は、本発明の第１実施形態に係るフォーマット変換機能と編集機能とを備える光ディスク記録再生装置の一例を示すブロック図、図２は、ＶＲ規格のＶＯＢＵとＤＶＤ−Ｖ規格のＶＯＢＵの構造を示す説明図、図３は、フォーマット変換のための情報を含むＲＤＩ＿ＰＣＫの例を示す説明図、図４は、本発明に係るフォーマット変換機能により変換されたＤＶＤ−Ｖ規格のＮＶ＿ＰＣＫの構造を示す説明図、図５は、本発明の第２の実施形態であるフォーマット変換のための情報を含むＯＲＧ＿ＭＮＧＲを有するファイル構成を示す説明図、図６は、本発明に係るＶＲ規格からＤＶＤ−Ｖ規格へのフォーマット変換の工程を説明するためのフローチャート、図７は、本発明に係るフォーマット変換機能で用いられるＶＯＢＵ＿２ＮＤＲＥＦ＿ＥＡとＶＯＢＵ＿３ＲＤＲＥＦ＿ＥＡとが示すアドレス位置を説明するための説明図である。
【００１３】
本発明に係るフォーマット変換処理及び編集処理を行うことができる光ディスク記録再生装置の構造の一例が図１に示され、この光ディスク記録再生装置Ａは、全体の動作をデータバスを介してフラッシュＲＯＭ１１とワークメモリ１２とを伴うメインＭＰＵ１０により制御される。ハードディスクＨＤ、光ディスクＤへの主に映像情報の記録機能のための構成として、チューナ２０とラインインとが与えられるラインセレクタ２１、これから信号が供給されるオーディオＡＤコンバータ２２、ＥＤＯ２５を伴う３ＹＣＤＮＲ２４を介して映像信号が供給されるビデオデコーダ２３、ここからフレーム信号が供給されるＳＤＲＡＭ２７を伴うフレーム同期器２６を有する。更に、オーディオＡＤコンバータ２２からのオーディオ信号をエンコードするオーディオエンコーダ２８と、フレーム同期器２６からの映像信号とを受け、ＭＰＥＧ信号にエンコード処理を施すＳＤＲＡＭ３０を伴ったＭＰＥＧ２エンコーダ２９を有している。更に、記録すべき映像情報を格納する先として、コピープロテクト６３を介するハードディスクドライバＨＤ、更にＣＰＲＭ６４を介する光ディスクＤを有している。
【００１４】
又、チューナ２０は、タイマＭＰＵ４０の動作制御を受けている。又、同様にディスプレイ５１も、タイマＭＰＵ４０の動作制御を受けてディスプレイＭＰＵ５０で制御される。
【００１５】
更に再生機能のための構成として、映像信号を読み出すべき記憶領域として、先にあげたコピープロテクト６３を介するハードディスクドライバＨＤ、更にＣＰＲＭ６４を介する光ディスクＤを有している。更に読み出された映像信号を信号処理するＡＴＡＰＩコントローラ６０と、ここから映像信号が供給されこれをエンコードするためのＳＤＲＡＭ３２を伴うＭＰＥＧデコーダ３１と、更にＳＤＲＡＭ３６を伴うグラフィック回路３５、この出力が供給されビデオ信号をデコードするビデオデコーダ３４、更にＭＰＥＧデコーダ３１からのオーディオ信号をＤＡ変換するオーディオＤＡコンバータ３３を有するものである。又このような記録機能と再生機能とを仲介する回路としてメインＭＰＵにより制御されるブリッジ回路６１が設けられている。
【００１６】
＜第１の実施形態＞
第１の実施形態は、変換する前の映像情報のストリーム内、例えばＲＤＩ＿ＰＣＫに、フォーマット変換情報又は編集情報を挿入して記録する情報記録装置とこのフォーマット変換及び編集処理を行う情報処理装置を提供することである。
【００１７】
図１に示した光ディスク記録再生装置は上述した構成において、ＭＰＥＧストリーム記録時、メインＭＰＵ１０はそのストリームが将来フォーマット変換や編集される可能性があるかどうか判断をし、可能性がある場合はそれぞれフォーマット変換や編集に必要な情報をＭＰＥＧストリームと併せて記録する。この情報を記録する位置は、再生に影響を与えず、かつ自由に情報を書き込めるエリアである必要がある。
【００１８】
ストリーム中の上記のようなエリアへ情報を記録する時、メインＭＰＵ１０はあらかじめＭＰＥＧエンコーダ２９へ必要な設定を行っておく。ＭＰＥＧエンコーダ２９は記録開始の命令を受けると、設定されたパラメータに従い、ストリーム中に情報を記録しながらエンコードしていく。
【００１９】
図２は、本発明が行おうとするフォーマット変換の一例である、ＶＲ規格からＶ規格への変換を説明する図であり、ＶＲ規格のストリームのＶＯＢＵ（ＳＴ１）とＶ規格のＶＯＢＵ（ＳＴ２）とが示されている。本発明はこのなかで特に困難と思われるＶＲ規格のＲＤＩ＿ＰＣＫをＶ規格のＮＶ＿ＰＣＫへと変換するための変換情報を提供することを提案している。
【００２０】
ＶＲ規格のＲＤＩ＿ＰＣＫの具体的な構造の一例が図３により示され、この例では記録されたＶＲ規格が将来Ｖ規格へ変換されることを想定している。そして、本発明の特徴であるデータとして、所定の記憶領域に本発明の変換情報又は編集情報が存在するかどうかのフラグとしてのＭＮＦ＿ＩＤ、更にその変換情報の種別をあらわすためのＶＥＲＳＩＯＮがある。更に、２番目のリファレンスピクチャの最終アドレスであるＶＯＢＵ＿２ＮＤＲＥＦ＿ＥＡ，３番目のリファレンスピクチャの最終アドレスであるＶＯＢＵ＿３ＲＤＲＥＦ＿ＥＡ，そして、ビデオ開始時間の直後に再生されるオーディオフレームを含むＡ＿ＰＣＫのアドレスであるＶＯＢＵ＿Ａ＿ＳＹＮＣＡが設けられている。これらは全て、フォーマット変換の際に、Ｖ規格のＮＶ＿ＰＣＫを構築するための情報である。なお、図７は、ＶＯＢＵ＿２ＮＤＲＥＦ＿ＥＡ及びＶＯＢＵ＿３ＲＤＲＥＦ＿ＥＡのアドレス位置が、それぞれ、ＶＯＢＵの中で示されている。
【００２１】
又、本発明は更にフォーマット変換処理の処理時間を短縮するだけではなく、複数のストリームの順序を変更する等の編集処理を容易にするために、同様に、映像時間を記録する際に、編集の対象となっている映像情報のピクチャ情報の種類、例えば、ＩかＰかＢかの種類を示す識別データとして、ＰＩＣ＿ＴＹＰＥ０やピクチャの位置、長さ情報としてＰＩＣ＿ＡＤＤＲやＰＩＣ＿ＬＥＮＧＴＨが与えられる。
【００２２】
これにより、編集処理の際に、映像情報のピクチャ情報の種類が特定できるので、正確な編集処理が可能となる。
【００２３】
又更に、上述したＭＮＦ＿ＩＤやＶＥＲＳＩＯＮについても、フォーマット変換だけではなく、編集処理の参考情報として使用することも可能である。
【００２４】
又、図４はＤＶＤ−Ｖ規格のＮＶ＿ＰＣＫの構造を示す説明図であり、ＮＶ＿ＰＣＫ＿ＳＣＲがナビパックが読まれる時間、ＮＶ＿ＰＣＫ＿ＬＢＮがナビパックの位置、ＶＯＢＵ＿ＥＡがボブユニットの長さ、ＶＯＢＵ＿１ＳＴＲＥＦ＿ＥＡが１番目のリファレンスピクチャの最終アドレス、ＶＯＢＵ＿２ＮＤＲＥＦ＿ＥＡが２番目のリファレンスピクチャの最終アドレス、ＶＯＢＵ＿３ＳＴＲＥＦ＿ＥＡが３番目のリファレンスピクチャの最終ドレス、ＶＯＢＵ＿ＶＯＢ＿ＩＤＮがボブユニットのＩＤ、ＶＯＢＵ＿Ｃ＿ＩＤＮがセルのＩＤ、Ｃ＿ＥＬＴＭがセル中の表示時間、Ａ＿ＳＹＮＣＡがオーディオデータのアドレス、ＳＰ＿ＳＹＮＣＡがビデオに対応するサブピクチャのアドレスである。
【００２５】
このうち、ＶＯＢＵ＿２ＮＤＲＥＦ＿ＥＡが２番目のリファレンスピクチャの最終アドレス、ＶＯＢＵ＿３ＳＴＲＥＦ＿ＥＡが３番目のリファレンスピクチャの最終アドレスを計算で求めることが多くの時間を要することとなり、本発明の変換情報として与えられることにより、現実的なフォーマット変換の時間短縮を可能とするものである。
【００２６】
（変換処理及び編集処理の説明）
次にこのような変換情報及び編集情報が挿入された映像情報を用いたフォーマット変換処理をフローチャートを用いて詳細に説明する。このフローチャートの例では、磁気記録媒体Ｄへ記録されたＶＲ規格のストリームをＶ規格のストリームに変換して、光ディスク媒体Ｄに記録するものである。
【００２７】
光ディスク記録再生装置Ａは、ユーザよりフォーマット変換の指示を受けると、フォーマット変換の対象となるストリームをハードディスクドライブＨＤから１パック分をワークメモリ１２へ読み込む（Ｓ１２）。読み込まれたパックに対し、タイムスタンプ変換が行われた後（Ｓ１３）、メインＭＰＵ１０はこのパックがＲＤＩ＿ＰＣＫか他のパックであるかを判定する（Ｓ１４）。ＲＤＩ＿ＰＣＫであった時（ＹＥＳ）、そのパックはＮＶ＿ＰＣＫに変換する必要がある。そのため、上述した変換情報、すなわち、ＶＯＢＵ＿２ＮＤＲＥＦ＿ＥＡ及びＶＯＢＵ＿３ＲＤＲＥＦ＿ＥＡのアドレス情報等をＲＤＩ＿ＰＣＫより読み出し、ワークメモリ１２へ格納する（Ｓ１５）。変換機能を備えた光ディスク記録再生装置Ａはその変換情報と他にＮＶ＿ＰＣＫ作成に必要な情報を作成し（Ｓ１６）、ワークメモリ１２上へＮＶ＿ＰＣＫのデータを作成する（Ｓ１７）。
【００２８】
以上により作成された変換後のＰＣＫを、ＡＴＡＰＩコントロール部６０を介して光ディスクＤへ記録する（Ｓ１８）。メインＭＰＵ１０は全てのパックについて変換動作が終了したかどうかを判定し、まだ未変換パックが存在する時（ＹＥＳ）は（Ｓ１９）、ステップＳ１２へ戻り次のパックについて変換処理を続ける。
【００２９】
そして、全てのパックについて変換が終了した時（ＮＯ）、フォーマット変換処理を終了するものである。
【００３０】
又、同様に、編集機能を有する光ディスク記録再生装置Ａにより編集処理もこれと同様に、挿入されて記録されている編集情報を読み出し、これを活用して迅速で正確な編集処理を行うものである。
【００３１】
＜第２の実施形態＞
第２実施形態は、本発明に特有のフォーマット変換に使用される変換情報及び編集処理に使用される編集情報を第１実施形態のように映像情報のストリーム内に設けるのではなく、ストリーム外に設ける場合を提供するものである。
【００３２】
図５はこのファイル構成の一例を示す図であり、ＶＲ規格において、Ｒｏｏｔ１０１の下に本来のストリームであるファイル、ＤＶＤ＿ＲＴＡＶ１０２の他にＯＲＧ＿ＭＮＧＲ１０６を設け、この下にＯＲＧ＿ＭＮＧＲ．ＩＦＯ１０７を設け、ここに上述した変換情報や編集情報を格納する方法である。
【００３３】
ここで、本来のストリームの下に設けられているＶＲ＿ＭＡＮＧＲ．ＩＦＯ１０３，ＶＲ＿ＭＡＮＧＲ．ＶＲＯ１０４，ＶＲ＿ＭＡＮＧＲ．ＢＵＰ１０５には、特に情報が挿入されることはない。
【００３４】
ストリームの外に変換情報や編集情報がおかれるわけであり、ストリームの再生に対する影響は全く排除できるということが、第２実施形態の作用効果となる。
【００３５】
このようなストリーム外のファイルを構成するためには、図１の光ディスク記録再生装置ＡのメインＭＰＵ１０は、あらかじめＭＰＥＧエンコーダ２９へ必要な設定を行っておく。ＭＰＥＧエンコーダ２９は記録開始の命令を受けると、設定されたパラメータに従い、決められた間隔でＳＤＲＡＭ３０へ必要な情報を格納し、メインＭＰＵ１０へ割り込みを通知する。割り込みを通知されたメインＭＰＵ１０は、ＳＤＲＡＭ３０より必要な情報を取得し、それをワークメモリ１２へ格納する。ワークメモリ１２へ格納された情報が一定量に達すると、定められたフォーマットでファイルシステムを介してハードディスクドライブＨＤ、光ディスクＤの記憶領域へ記録されることになる。
【００３６】
【発明の効果】
以上本発明によれば、例えば、ＶＲ規格によりＤＶＤ−ＲＡＭに記録された映像等を、通常のＤＶＤプレイヤで再生するべく、ＤＶＤ−Ｖ（Video）規格にフォーマット変換するものである。このフォーマット変換を容易におこなうために、特に変換の際に遠大な計算が必要となるＶＲ規格の例えば、ＲＤＩのＶＯＢＵ＿２ＮＤＲＥＦ＿ＥＡと、ＶＯＢＵ＿３ＲＤＲＥＦ＿ＥＡ、すなわち、２番目のリファレンスピクチャの最終アドレスと、３番目のリファレンスピクチャの最終アドレスとを、事前のデータとして映像情報に挿入した上で光ディスク等に保存するものである。
【００３７】
更に本発明によれば、フォーマット変換に必要な変換情報が添付された映像情報をフォーマット変換するものである。これにより、現実的な時間の中でＶＲ規格の映像をＶ規格の映像にフォーマット変換することが可能となり、例えば個人がデジタルビデオで撮影した結婚式の映像（ＶＲ規格）などを自宅の編集装置でフォーマット変換し、この映像（Ｖ規格）を複数のＤＶＤ−Ｒ等に落とすことにより、多くの知人に結婚式の映像を各自が所有する自宅のＤＶＤプレイヤで再生可能な状態として、配布することも可能となるものである。
【図面の簡単な説明】
【図１】本発明の第１実施形態に係るフォーマット変換機能と編集機能とを備える光ディスク記録再生装置の一例を示すブロック図。
【図２】本発明の第１実施形態に係るフォーマット変換機能が対象とするＶＲ規格のＶＯＢＵとＤＶＤ−Ｖ規格のＶＯＢＵの構造を示す説明図。
【図３】本発明の第１実施形態の特徴であるフォーマット変換のための情報を含むＲＤＩ＿ＰＣＫの例を示す説明図。
【図４】本発明に係るフォーマット変換機能により変換されたＤＶＤ−Ｖ規格のＮＶ＿ＰＣＫの構造を示す説明図。
【図５】本発明の第２の実施形態であるフォーマット変換のための情報を含むＯＲＧ＿ＭＮＧＲを有するファイル構成を示す説明図。
【図６】本発明に係るＶＲ規格からＤＶＤ−Ｖ規格へのフォーマット変換の工程を説明するためのフローチャート。
【図７】本発明に係るフォーマット変換機能で用いられるＶＯＢＵ＿２ＮＤＲＥＦ＿ＥＡとＶＯＢＵ＿３ＲＤＲＥＦ＿ＥＡとが示すアドレス位置を説明するための説明図。
【符号の説明】
Ａ  …  光ディスク記録再生装置、
ＨＤ  …  ハードディスク、Ｄ  …  光ディスク
１０  …  メインＭＰＵ、１１…フラッシュＲＯＭ
１２  …  ワークメモリ、２０  …  チューナ
２１  …  ラインセレクタ、２２  …  オーディオＡＤコンバータ
２３  …  ビデオデコーダ、２５  …  ＥＤＯ
２６  …  フレーム同期器、２７  …  ＳＤＲＡＭ
２８  …  オーディオエンコーダ、２９  …  ＭＰＥＧ２エンコーダ
３１  …  ＭＰＥＧデコーダ、３３  …  オーディオＤＡコンバータ
３４  …  ビデオデコーダ、６０  …  ＡＴＡＰＩコントローラ
６１  …  ブリッジ回路、６３  …  コピープロテクト
【図１】
0003825682.tif 000002
【図２】
0003825682.tif 000003
【図３】
0003825682.tif 000004
【図４】
0003825682.tif 000005
【図５】
0003825682.tif 000006
【図６】
0003825682.tif 000007
【図７】
0003825682.tif 000008